【手続補正書】
【提出日】平成27年12月24日(2015.12.24)
【手続補正１】
【補正対象書類名】特許請求の範囲
【補正対象項目名】全文
【補正方法】変更
【補正の内容】
【特許請求の範囲】
【請求項１】
モバイルコンピューティングデバイスに関連付けられるメモリ領域であって、当該メモリ領域は、ユーザに関連付けられるデータ利用プランを表すスキーマを格納し、前記データ利用プランは、前記ユーザの１つ又は複数のコンピューティングデバイスのネットワーク接続に関連付けられる閾値を示し、前記ネットワーク接続はネットワークトラフィックデータのタイプに基づいて分類されている、メモリ領域と、
少なくとも１つのプロセッサであって、
前記ユーザについてデータ利用統計値を動的に生成することであって、当該データ利用統計値は、前記データ利用プランの下で前記モバイルコンピューティングデバイスによって消費されるネットワークデータを表し、当該データ利用統計値は、前記モバイルコンピューティングデバイスにおいて、前記モバイルコンピューティングデバイスの複数のコンポーネントによって消費される前記ネットワークデータを収集することにより、動的に生成され、
前記メモリ領域内に格納される前記スキーマに前記動的に生成されたデータ利用統計値を追加し、
前記追加がなされたスキーマの少なくとも一部を、前記ユーザの他のコンピューティングデバイスへの分配のために、ウェブサービスに提供する
ようにプログラムされる少なくとも１つのプロセッサと、
を備える、システム。
【請求項２】
ユーザインタフェースを更に備え、
前記少なくとも１つのプロセッサは更に、前記動的に生成されたデータ利用統計値を前記ユーザインタフェース内で前記ユーザに提示するようにプログラムされ、前記少なくとも１つのプロセッサは更に、前記メモリ領域内に格納される前記スキーマの一部のみを特定の時間に前記ウェブサービスにアップロードするか、ダウンロードするようにプログラムされる、請求項１に記載のシステム。
【請求項３】
前記少なくとも１つのプロセッサは、消費された前記ネットワークデータを、対応するネットワーク接続に帰属させることによって、前記データ利用統計値を動的に生成するようにプログラムされ、  前記閾値は、前記データ利用プランの下で前記ネットワーク接続に対して割り当てられる最大データ消費量に対応し、前記ネットワーク接続の分類のための前記ネットワークトラフィックデータのタイプは、音声、テキスト及びデータから成るグループから選択され、
前記閾値の各々は、複数のフィールドの１つに対応する、請求項１に記載のシステム。
【請求項４】
前記スキーマは、拡張マークアップ言語のスキーマを備え、前記スキーマは、各フィールドがそれぞれピーク回数、オフピーク回数、ピーク時間のデータ消費割当、オフピーク時間のデータ消費割当、ピーク時間のデータ消費残、オフピーク時間のデータ消費残、ローミング速度、モバイルオペレータ名、支払請求の周期タイプ及びネットワーク接続タイプのうちの１つ又は複数を備える、複数のフィールドを含む、請求項１に記載のシステム。
【請求項５】
前記データ利用プランの個々の部分を示すよう前記スキーマを定義する手段を更に備える、請求項１に記載のシステム。
【請求項６】
前記メモリ領域は、コンピュータ実行可能コンポーネントを具現化する１つ又は複数のコンピュータ記憶媒体を更に格納し、前記のコンポーネントは、
実行されると、前記少なくとも１つのプロセッサに、前記ユーザについて前記データ利用統計値を動的に生成させる収集コンポーネントと、
実行されると、前記少なくとも１つのプロセッサに、前記収集コンポーネントによって動的に生成される前記データ利用統計値を前記スキーマに追加させるデータ構造コンポーネントと、
実行されると、前記少なくとも１つのプロセッサに、前記データ構造コンポーネントによる追加がなされた前記スキーマを、前記ユーザの他のコンピューティングデバイスへの分配のためにウェブサービスに伝送させる、通信インタフェースコンポーネントと、
実行されると、前記少なくとも１つのプロセッサに、前記収集コンポーネントによって動的に生成されたデータ利用統計値を前記ユーザに対して表示させる、ユーザインタフェースコンポーネントと
を備える、請求項１に記載のシステム。
【請求項７】
ユーザについてデータ利用統計値を動的に生成するステップであって、前記データ利用統計値は、データ利用プランの下でモバイルコンピューティングデバイスによって消費されるネットワークデータを表し、前記データ利用統計値は、前記モバイルコンピューティングデバイスにおいて、前記モバイルコンピューティングデバイスの複数のコンポーネントによって消費される前記ネットワークデータを収集することにより動的に生成され、前記データ利用プランは、前記ユーザに関連付けられ、かつ前記ユーザの１つ又は複数のコンピューティングデバイスのネットワーク接続に関連付けられる閾値を示し、前記ネットワーク接続は、ネットワークトラフィックデータのタイプに基づいて分類されている、ステップと、
前記データ利用プランを表すスキーマに前記動的に生成されるデータ利用統計値を追加するステップと、
前記追加がなされたスキーマの少なくとも一部を、前記ユーザの他のコンピューティングデバイスへの分配のために、ウェブサービスに提供するステップと
を含む、方法。
【請求項８】
前記データ利用統計値を動的に生成するステップは、前記データ利用統計値の少なくとも一部に対応するデータを、モバイルオペレータから、あるいは前記ユーザの前記複数のコンピューティングデバイスの１つ又は複数から受信するステップを含み、前記データは、前記スキーマに整合している、請求項７に記載の方法。
【請求項９】
前記データ利用統計値を動的に生成するステップは、前記データ利用統計値の少なくとも一部に対応する第１のデータをモバイルオペレータから受信することと、前記データ利用統計値の少なくとも一部に対応する第２のデータを、前記ユーザの前記複数のコンピューティングデバイスの１つ又は複数から受信することとを含み、
当該方法は、前記動的に生成されるデータ利用統計値を作成するためにより最近の情報を提供するように、前記受信した第１のデータと前記受信した第２のデータとの差を調整するステップを更に含み、
該調整するステップは、前記受信した第１のデータに関連付けられるタイムスタンプと前記受信した第２のデータに関連付けられるタイムスタンプを比較することを含む、請求項７に記載の方法。
【請求項１０】
前記動的に生成されたデータ利用統計値を、前記閾値と比較して、残りのネットワークデータ消費量を識別するステップを更に含む、請求項７に記載の方法。
【請求項１１】
プロセッサによって実行されると、該プロセッサに、請求項７乃至１０のいずれか一項に記載の方法を実行させるコンピュータプログラム。
【手続補正２】
【補正対象書類名】明細書
【補正対象項目名】０００４
【補正方法】変更
【補正の内容】
【０００４】
本開示の実施形態は、スキーマを用いてデータ利用統計値を生成し、表現する。スキーマは、少なくとも１のユーザに関連付けられるデータ利用プランを表す。データ利用プランは、ユーザの複数のコンピューティングデバイスのネットワーク接続に関連付けられる閾値を示す。ウェブサービスは、モバイルオペレータから及び／又はユーザの複数のコンピューティングデバイスからデータを収集する。データ利用統計値は、収集されたデータから生成され、データ利用プランの下で消費されるデータを表す。スキーマは、生成されたデータ利用統計値で更新され、複数のコンピューティングシステムへ分配される。
【手続補正３】
【補正対象書類名】明細書
【補正対象項目名】００６３
【補正方法】変更
【補正の内容】
【００６３】
本明細書で使用されるとき「ローミング」という用語は、一部の実施形態において、追加の料金、請求又は契約の対象となり得る、加入者の住居地区の外側に提供される接続性を指す。ローミングサービスは同じモバイルオペレータ１１１によって提供されても、提供されなくてもよい。本明細書で使用されるとき「テザリング」という用語は、一部の実施形態において、あるデバイスが、別のデバイスのネットワークアクセス用のアクセスポイントとして機能する状況を指す。テザリング接続は、有線接続を介して生じることもあり又は無線接続を介して生じることもある。本明細書で使用されるとき「Ｗｉ−Ｆｉ」という用語は、一部の実施形態において、データの伝送に高周波数の無線信号を使用する無線ローカルエリアネットワークを指す。「ＢＬＵＥＴＯＯＴＨ」という用語は、本明細書で使用されるとき、一部の実施形態において、短い波長の無線伝送を使用する短距離のデータ交換のための無線技術の規格を指す。「セルラ」という用語は、本明細書で使用されるとき、一部の実施形態において、一緒に参加するときに広範な地理的領域上でのデータの伝送を可能にする、短距離の無線局を使用する無線通信システムを指す。「ＮＦＣ」という用語は、本明細書で使用されるとき、一部の実施形態において、短い距離でのデータ交換のための短距離の高周波数の無線通信技術を指す。